(57)【特許請求の範囲】
【請求項１】
花束に仕込んで用いるイルミネーション装置であって、
花束内に分散配置される６個のＬＥＤと、
直流出力電圧が１２Ｖで単５サイズの一次電池からなる電源と、
前記電源から前記複数のＬＥＤへ電力を供給するためのケーブルと、
前記複数のＬＥＤに供給する電流を調整するための抵抗又は定電流ダイオードを有する電流調整手段と、
前記電源及び前記電流調整手段を収納するケースと、
前記複数のＬＥＤのオンオフを前記ケースから離れた位置で操作可能なスイッチとを備え、
前記６個のＬＥＤは、３個を直列に接続した直列回路が２列並列に接続され、前記２列の直列回路の各々に、電流調整手段としての前記抵抗又は定電流ダイオードが各々接続されていることを特徴とするイルミネーション装置。
【請求項２】
前記ＬＥＤが、発光の際に時間の経過により複数の色調に変化するＬＥＤであることを特徴とする請求項１に記載のイルミネーション装置。
【請求項３】
前記ＬＥＤに供給する電流を不規則に変化させて、前記ＬＥＤの光に蝋燭様の揺らぎを与える素子を回路に備えることを特徴とする請求項１又は２に記載のイルミネーション装置。
【発明の詳細な説明】
【技術分野】
【０００１】  本発明は、イルミネーション装置に関するものであり、詳しくは花束等に仕込んで用いるイルミネーション装置に関するものである。
【背景技術】
【０００２】  従来より、街路樹や建物等に飾り付けるタイプのイルミネーション装置が多く知られている。これらのイルミネーション装置の多くは光源用の部品としてＬＥＤを用いたものであり、近年では、高輝度、低価格で、色のバリエーションの豊富なものが用いられている。【０００３】  通常、このようなＬＥＤを用いたイルミネーションは、電源として一般家庭用の交流１００ＶをＡＣ／ＤＣアダプター等により直流電流に変換して発光させている。【０００４】  一方、持ち運べる程度のサイズの、例えば花束等に飾り付けるような用途に使用するイルミネーション装置として、通常の乾電池を複数個用いてＬＥＤを発光させるタイプのイルミネーション装置（例えば、特文献１を参照）や、ボタン電池を用いてＬＥＤを発光させる独立型のイルミネーション装置（例えば、特文献２を参照）が提案されている。【０００５】  通常、ＬＥＤを発光させるには、電源電圧として赤色や緑色では２Ｖ程度、白色や青色では４Ｖ程度の電圧が必要である。そのため、一般の１．５Ｖ電圧の乾電池を用いてＬＥＤを発光させる場合には、複数個の電池を直列に接続する必要がある。また、複数のＬＥＤを同時に発光させるにはさらに多くの乾電池が必要となる。
【先行技術文献】
【特許文献】
【０００６】
【特許文献１】実用新案登録第３１３２８５７号公報
【特許文献２】実用新案登録第３１４７７２１号公報
【発明の概要】
【発明が解決しようとする課題】
【０００７】  このような現状において、通常の乾電池を複数個用いた独立型のイルミネーション装置を花束等の比較的小さいサイズのものに仕込んで用いる場合、乾電池を含めた装置自体の占める体積が大きくなるために、花束全体の形が歪になったり、花束が非常に重くなるといった問題があった。【０００８】  また、ボタン電池を用いてＬＥＤを発光させるイルミネーション装置では、ボタン電池自体の電気容量が非常に小さいため、例えば、複数のＬＥＤを同時に発光させるために、複数個のボタン電池を直列接続したとしても、長時間の連続点灯が困難であり、独立型のイルミネーション装置としては実用の域に達していないのが現状である。【０００９】  本発明は、上記の通りの事情に鑑みてなされたものであり、非常にコンパクトであり、且つ、複数のＬＥＤを長時間連続点灯させることが可能なイルミネーション装置を提供することを課題としている。
【課題を解決するための手段】
【００１０】  本発明は、上記の課題を解決するために、以下のことを特徴としている。【００１１】  即ち、本発明のイルミネーション装置は、花束に仕込んで用いるイルミネーション装置であって、花束内に分散配置される６個のＬＥＤと、直流出力電圧が１２Ｖで単５サイズの一次電池からなる電源と、電源から複数のＬＥＤへ電力を供給するためのケーブルと、複数のＬＥＤに供給する電流を調整するための抵抗又は定電流ダイオードを有する電流調整手段と、電源及び電流調整手段を収納するケースと、複数のＬＥＤのオンオフをケースから離れた位置で操作可能なスイッチとを備え、６個のＬＥＤは、３個を直列に接続した直列回路が２列並列に接続され、２列の直列回路の各々に、電流調整手段としての抵抗又は定電流ダイオードが各々接続されていることを特徴とする。【００１２】  また、このイルミネーション装置においては、ＬＥＤが、発光の際に時間の経過により複数の色調に変化するＬＥＤであることが好ましい。【００１３】  また、このイルミネーション装置においては、ＬＥＤに供給する電流を不規則に変化させて、ＬＥＤの光に蝋燭様の揺らぎを与える素子を回路に備えることが好ましい。
【発明の効果】
【００１５】  上記の本発明によれば、非常にコンパクトであり、且つ、複数のＬＥＤを長時間連続点灯させることが可能なイルミネーション装置を提供することができる。
【図面の簡単な説明】
【００１６】
【図１】本発明のイルミネーション装置の一実施形態を示す外観写真である。
【図２】本発明のイルミネーション装置の回路の一実施形態を示す回路図である。
【図３】フォトレジスタを用いた自動点灯回路の一実施形態を示す回路図である。
【図４】マルチバイブレータ回路の一実施形態を示す回路図である。
【図５】本発明のイルミネーション装置を仕込んだブーケを示す写真である。
【発明を実施するための形態】
【００１７】  本発明のイルミネーション装置は、花束に仕込んで用いるイルミネーション装置であって、花束内に分散配置される複数のＬＥＤと、直流出力電圧が９〜１２Ｖの一次電池又は二次電池からなる電源と、電源から複数のＬＥＤへ電力を供給するためのケーブルと、複数のＬＥＤに供給する電流を調整するための抵抗又は定電流ダイオードを有する電流調整手段と、電源及び電流調整手段を収納するケースと、複数のＬＥＤのオンオフをケースから離れた位置で操作可能なスイッチとを備えている。
【００１８】  以下に本発明のイルミネーション装置について、図面を用いて詳細に説明する。図１は本発明のイルミネーション装置の一実施形態を示す外観写真であり、図２は、本発明のイルミネーション装置の回路図の一実施形態である。
【００１９】  本発明の実施形態のイルミネーション装置１は、少なくとも、ＬＥＤ２、電源８、ケーブル５１、５２、電流調整手段９、スイッチ４、ケース６から構成されている。
【００２０】  ＬＥＤ２は、通常公知のＬＥＤであれば特に制限なく用いることができ、例えば、赤、橙、黄、緑、青、白等の単色のＬＥＤや、発光の際に時間の経過により複数の色調に変化する、所謂フルカラーＬＥＤ、また、紫外線ＬＥＤ、赤外線ＬＥＤ、自己点滅型ＬＥＤ等を用いることができる。
【００２１】  また、形状や大きさについても特に制限はなく、形状としては、例えば、砲弾型、角型、表面実装型等のＬＥＤを用いることができる。大きさとしては、砲弾型の場合、直径３ｍｍ、５ｍｍ、８ｍｍ等の大きさのものを適宜用いることができる。このＬＥＤ２は、所定の長さのケーブル５１により電源８と接続されて発光するようになっている。
【００２２】  また、ＬＥＤ２には、シリコンラバー製等の光拡散キャップ３を被せるのが望ましい。ＬＥＤは、通常、発光する光が指向性を有するため、特定の視認角度で光量が極端に大きくなる傾向を示す。そこで、ＬＥＤ２に光拡散キャップ３を被せることにより、ＬＥＤ２の光を幅広い角度で視認することが可能となる。
【００２３】  ＬＥＤ２と電源８を接続するケーブル５１は適正な電流を供給できれば特に制限されるものではないが、花束に仕込んだ場合にできるだけ目立たず、安定してＬＥＤ２を分散配置できるように、細く、自立する程度の硬度を有するものが好ましい。また、ケーブルの長さは、花束の大きさに応じて適宜設定することができる。
【００２４】  また、スイッチ４を接続するケーブル５２は、花束に仕込んだ際に表から見えないように配置するため、ＬＥＤ２と電源８を接続するケーブル５１に比べて、太さや色、硬度について特に考慮する必要はない。
【００２５】  電源８としては、コンパクトなサイズで９〜１２Ｖの出力電圧を有するものであれば特に制限なく用いることができる。このような電源８としては、例えば、単５サイズの１２Ｖ電池や、９Ｖ電源としての００６Ｐタイプの電池が挙げられる。また、これらの一次電池、もしくは二次電池を用いることができる。これらの中でも、単５サイズの１２Ｖ乾電池を好適に用いることができる。
【００２６】  なお、上記の電源８を接続するには、電源８のサイズに適合した専用の電池ケースを用いて接続するのが望ましい。専用の電池ケースを用いることにより、電池が消耗した場合に簡単に電池交換を行うことができる。
【００２７】  上記の電源８を用いてＬＥＤ２を点灯させる場合、電源８からの電流を適切な電流値に整流してＬＥＤに供給する必要がある。
【００２８】  そのために、電源８とＬＥＤ２の間に電流調整手段９を設ける。電流調整手段９としては、定電流ダイオード（ＣＲＤ）又は抵抗を用いることができる。図２に示す回路では、電源８に、ＬＥＤ２を３個直列に接続した直列回路を２列並列に接続している。そして、それぞれの直列回路のＬＥＤ２のアノード側に、電流調整手段９としての定電流タイオードが接続しており、スイッチ４のオン／オフにより６個のＬＥＤ２が同時に点灯するようになっている。
【００２９】  電流調整手段９に用いる定電流ダイオード又は抵抗は、使用するＬＥＤ２の電気特性や個数、また供給する電源８の規格等により適宜決定することができる。
【００３０】  例えば、図２の回路において、電源８を電圧１２Ｖの乾電池とし、ＬＥＤ２を標準電流２０ｍＡ、順方向電圧３．３Ｖの青色ＬＥＤとした場合、定電流ダイオードは約１０〜２０ｍＡのものを用いることができる。
【００３１】  また、図２の回路において、電流調整手段９として定電流ダイオードの代わりに抵抗を用いる場合、ＬＥＤ２を２０ｍＡで光らせる場合には、抵抗＝（電源電圧−ＬＥＤの順方向電圧）／電流の式を用いて、抵抗＝（１２−３．３×３）／０．０２から、理論上、約１０５Ωの抵抗を用いることができる。
【００３２】  上記のような電流調整手段９を用いて、比較的高出力の電源８から、適切且つ安定的な電流をＬＥＤ２に供給することにより、ＬＥＤ２を長時間連続点灯させることが可能となる。
【００３３】  また、スイッチ４としては、容易にオン／オフが可能なスイッチであれば特に制限なく用いることができ、スイッチ４を押しているときのみ通電するモーメンタリタイプの押しボタンスイッチや、一度押すとオンし、もう一度押してオフするオルタネートタイプの押しボタンスイッチを用いることができる。本発明においては、操作性等の観点からオルタネートタイプのスイッチ４を好適に用いることができる。
【００３４】  このような構成の回路は、ＬＥＤ２及びスイッチ４をケーブル５１、５２により出した状態で、ケース６内に収納される。
【００３５】  ケース６の材質は特に制限はないが、軽量且つ小型で、水等が入り込まない密閉性のよいものが望ましく、ゴムやプラスチック製のものを好適に用いることができる。
【００３６】  また、ケース６の下部にはスティック７が取り付けられている。スティック７は、イルミネーション装置１を花束に仕込む際に花の茎と合わせて固定し、安定した状態で複数のＬＥＤ２を分散配置されるために用いるものである。このスティック７の長さは花束のサイズに応じて適宜設定することができる。
【００３７】  また、イルミネーション装置１のケーブル５１、５２、ケース６、スティック７の色は、特に制限されるものではないが、花束に仕込んだ際にできるだけ目立たなくするために緑系の色とするのが望ましい。
【００３８】  また、本発明のイルミネーション装置１では、ＬＥＤ２に供給する電流量を不規則に変化させる素子を用いることにより、ＬＥＤ２の発光を蝋燭様の揺らぎの発光とする回路を設けることができる。
【００３９】  このような、ＬＥＤ２に供給する電流を不規則に変化させる素子としては、例えば、ＣＤＴ３４６０−０２（ＣＨＩＰ  ＤＥＳＩＧＮ  ＴＥＣＨＮＯＬＯＧＹ社製）等が入手可能である。この素子を図２に示す本発明のイルミネーション装置の回路に組み込むことにより、ＬＥＤ２の光に不規則な蝋燭様の揺らぎを持たせることができ、さらによい雰囲気を演出することが可能となる。
【００４０】  さらに、図２の回路内に、明るさを検知するためのフォトレジスタ（ＣＤＳ）を用いた図３に示すような回路を組み込むことにより、所定の照度以下になった場合のみＬＥＤ２を発光させるようにすることができる。
【００４１】  このような回路を組み込むことにより、所定の照度でＬＥＤ２を自動で消灯、点灯させることができるため、電源８としての電池の消耗を抑えることができ、省エネルギーの仕様とすることができる。
【００４２】  また、本発明のイルミネーション装置１では、ＬＥＤ２を点滅させるために、例えば、図４に示すようなマルチバイブレータ回路を図２の回路中に組み込むこともできる。
【００４３】  以上、本発明を一実施形態に基づいて説明したが、本発明は上記実施形態に限定されるものではなく、種々の変形、変更が可能である。
【００４４】  例えば、上記実施形態では、図２に示す回路によりＬＥＤ２を３個直列の回路を２系統並列に接続してＬＥＤを６個点灯させているが、３系統並列にして９個点灯させたり、４系統以上として１２個以上を点灯させることもできる。
【００４５】  また、電源８の電圧を考慮して、１系統のＬＥＤ２の個数を減らしたり、複数の異なる色のＬＥＤ２を点灯させることもできる。
【００４６】  また、例えば、ＬＥＤ２の大きさを８ｍｍサイズとし、ＬＥＤ２を接続するケーブル５１を長く設定することにより、花束以外のスタンド花等にも仕込むことができる。
【００４７】  さらに、スティック７を取り外すことによりさらにコンパクトにし、花束以外にも、テーブル装花やプリザーブドフラワー等に仕込むこともできる。
【実施例】
【００４８】  以下、実施例により本発明をさらに詳しく説明するが、本発明はこの実施例に何ら限定されるものではない。【００４９】  電源、電子部品等として以下のものを用いて、図２に示す回路を作製した。
電源：１２Ｖ（単５サイズ、アルカリ電池）、ゴールデンパワー社製  Ａ２３Ｓ
電流調整手段：定電流ダイオード（ＣＲＤ）１８ｍＡ、石塚電子社製  Ｅ−１８３
ＬＥＤ：超高輝度３ｍｍ青色ＬＥＤ、ＯｐｔｏＳｕｐｐｌｙ社製  ＯＳＢ５６Ａ３１３１Ａ
拡散キャップ：シリコンキャップ（３ｍｍＬＥＤ用）ＯｐｔｏＳｕｐｐｌｙ社製  ＯＳ−ＣＡＰ−３ＸＸ−１
スイッチ：平型オルタネートタイプスイッチ、ＳＥＥ−ＰＬＵＳ社製  ＰＳ−１１Ｂ０２【００５０】  そして、ＬＥＤを長さ２０ｃｍのケーブルにより、また、スイッチを長さ３５ｃｍのケーブルによりそれぞれ回路から引き出し、ＬＥＤ及びスイッチ以外の回路をケースに入れて、図１に示すイルミネーション装置１を作製した。そして、これを花束に仕込んでＬＥＤ２を分散配置してブーケとした。なお、スイッチは、束ねた茎の中間部から外部に取り出してリボンの中に隠して配置した。そのブーケの写真を図５に示す。【００５１】  このブーケは、白系の花に青色ＬＥＤが映え、特に薄暗い場所で非常に美しいブーケとすることができた。【００５２】  また、図５に示すブーケの状態でＬＥＤ２の連続点灯試験を行った。その結果、点灯後２４時間は光量が低下することなく点灯し続け、３６時間経過後であっても、多少光量は低下したものの十分にＬＥＤ２が点灯していることを視認することができた。【００５３】  これらの結果から、本発明のイルミネーション装置は非常にコンパクトであり、花束に仕込んでも全く違和感を与えることなく、長時間の連続点灯でも光量が低下することがない、優れた美的効果を奏するイルミネーション装置であることが確認された。
【符号の説明】
【００５４】１  イルミネーション装置
２  ＬＥＤ
３  光拡散キャップ
４  スイッチ
５１  ケーブル
５２  ケーブル
６  ケース
７  スティック
８  電源
９  電流調整手段
【図１】
0006319664.tif 000002
【図２】
0006319664.tif 000003
【図３】
0006319664.tif 000004
【図４】
0006319664.tif 000005
【図５】
0006319664.tif 000006